(57)【特許請求の範囲】
【請求項１】
スピンドルに先端工具が取り付け可能な携帯型のディスクグラインダに装着される集塵カバーであって、
前記ディスクグラインダに取り付け可能な取付部と、
前記取付部と反対側を向く軸方向端面に設けられ、前記先端工具の外周を覆う円筒状のカバー部と、
排出口に連なるボリュート流路を備え、吸入口を前記先端工具の側に向けて前記ディスクグラインダに固定されるボリュートケース部と、
前記ボリュートケース部に収容され、前記先端工具と前記取付部の間において前記スピンドルに取り付けられる遠心ファンと、
前記ボリュートケース部が前記ディスクグラインダから取り外されたときに前記遠心ファンを前記ボリュートケース部の内部で径方向に位置決めする第１の位置決め手段とを有し、
前記第１の位置決め手段は、前記ボリュート流路の内側であって前記ボリュートケース部の軸方向を向く内面に設けられた円形凹部と、前記遠心ファンに設けられて前記円形凹部に配置される円板状の基板とを備えて構成され、
前記遠心ファンを収容した状態のまま前記ボリュートケース部を前記ディスクグラインダに着脱可能であることを特徴とする集塵カバー。
【請求項２】
前記ボリュートケース部が前記ディスクグラインダから取り外されたときに前記遠心ファンを前記ボリュートケース部の内部で径方向に位置決めする第２の位置決め手段を有し、
前記第２の位置決め手段は、前記ボリュートケース部の軸方向を向く内面に軸方向に対して傾斜して設けられた環状の傾斜面と、前記遠心ファンの前記傾斜面に対向する端面に設けられて前記傾斜面と同一方向に傾斜する傾斜辺部とにより構成されることを特徴とする請求項１に記載の集塵カバー。
【請求項３】
前記第１の位置決め手段と前記第２の位置決め手段とは、前記遠心ファンの軸方向両側にそれぞれ設けられていることを特徴とする請求項２に記載の集塵カバー。
【請求項４】
前記取付部は、前記ディスクグラインダに取付可能とする固定手段を備え、前記固定手段は外部から手動により操作可能であることを特徴とする請求項１〜３のいずれか１項に記載の集塵カバー。
【請求項５】
前記取付部は、前記ボリュートケース部に設けられ、ボス部の外周面に係合する半円筒形の第１アダプタと、前記第１アダプタとは別体の半円筒形に形成され、前記ボス部を挟んで前記第１アダプタに組み合わされる第２アダプタと、前記第１アダプタと前記第２アダプタの一端側を連結する連結部材と、前記第１アダプタと前記第２アダプタの他端を連結するとともに互いの間隔を狭める方向に駆動可能なカム機構と、前記カム機構を操作するロックアームとを有し、前記第１アダプタと前記第２アダプタとが前記ボス部を挟持する固定状態となったときに、前記ロックアームは長手方向全体が前記ボリュートケース部の外面に沿って配置されることを特徴とする請求項４記載の集塵カバー。
【請求項６】
電動モータを収容するハウジングと、
前記ハウジングから延出し、先端工具が装着されるスピンドルと、
前記スピンドル周りに配置される被取付部と、
前記被取付部に取り付けられて前記先端工具を覆う請求項１〜５のいずれか１項に記載の集塵カバーと、を備えたことを特徴とするディスクグラインダ。
【発明の詳細な説明】
【技術分野】
【０００１】
本発明は、被削材の平面研削作業に用いられる携帯型のディスクグラインダおよびこれに装着されて研削作業時に発生する研削粉等の粉塵を集塵する集塵カバーに関する。
【背景技術】
【０００２】
コンクリートや石材等の被削材の表面を平らに研削する平面研削作業には、ディスク形（ホイール形）の先端工具を備えた携帯型のディスクグラインダが多く用いられる。
【０００３】
ディスクグラインダは内部に電動モータやエアモータ等の駆動源を収容する円筒状のケースを備えており、このケースの先端側にはケースの軸方向に直交して円筒状のボス部が設けられている。このボス部からはディスクグラインダの出力軸となるスピンドルが突出しており、このスピンドルの先端に先端工具が取り付けられる。スピンドルはギヤ機構を介して駆動源に接続されており、駆動源が作動すると、スピンドルとともに先端工具が駆動源により回転駆動されるようになっている。
【０００４】
ディスクグラインダには、研削作業時に発生する研削粉等の粉塵の飛散を防止するために、集塵アダプタとも呼ばれる集塵カバーが装着される。
【０００５】
集塵カバーは、先端工具の外周を覆う円筒状の周壁と先端工具の背面側を覆う天壁とを備えた底付き円筒状（カップ状）に形成されており、その天壁に設けられた取付部においてディスクグラインダのボス部に着脱自在に装着される。集塵カバーには吸引ダクトが設けられ、この吸引ダクトはゴム等の可撓性を有するホースにより集塵装置に接続されている。これにより、研削作業時に発生する粉塵は、集塵カバーから外部へ飛散することなく、吸引ダクトとホースとを介して集塵装置に集塵される（例えば特許文献１参照）。
【０００６】
一方、集塵カバーとしては、集塵装置を用いることなく、集塵カバー自体に集塵機能を持たせるようにした自己集塵タイプのものが開発されている。自己集塵タイプの集塵カバーは、集塵カバーのカップ状のカバー本体の内部に遠心ファンを備えており、この遠心ファンは先端工具とボス部との間においてスピンドルに固定されて先端工具とともに回転する。そして、遠心ファンが回転すると、その吸引力により、カバー本体の内部の粉塵が排出ダクトに取り付けられた集塵バックに集塵されるようになっている。
【先行技術文献】
【特許文献】
【０００７】
【特許文献１】特開２００９−２３００５号公報
【発明の概要】
【発明が解決しようとする課題】
【０００８】
このような自己集塵タイプの集塵カバーは、そのカバー本体がディスク形の先端工具の外周を全周に亘って覆う底付き円筒状に形成されているので、壁際などを研削する際には、集塵カバーを取り外して、スピンドルに先端工具のみを取り付けた状態で作業を行なう必要がある。
【０００９】
従来の構造では、ディスクグラインダから集塵カバーを取り外す作業は、まず、スピンドルから先端工具と遠心ファンを順次取り外し、次いでケース本体をボス部から取り外した後、スピンドルの先端に先端工具を取り付けるようにしている。また、再度集塵カバーをディスクグラインダに装着する際には、上記とは逆の手順が行われる。
【００１０】
このように、従来の集塵カバーでは、そのディスクグラインダへの着脱は、カバー本体、遠心ファンおよび先端工具をそれぞれ個別に取り外す必要があり、その作業は煩雑であった。
【００１１】
本発明の目的は、携帯型のディスクグラインダへの集塵カバーの着脱作業を容易にすることにある。
【課題を解決するための手段】
【００１２】
本発明の集塵カバーは、スピンドルに先端工具が取り付け可能な携帯型のディスクグラインダに装着される集塵カバーであって、前記ディスクグラインダに取り付け可能な取付部と、前記取付部と反対側を向く軸方向端面に設けられ、前記先端工具の外周を覆う円筒状のカバー部と、排出口に連なるボリュート流路を備え、吸入口を前記先端工具の側に向けて前記ディスクグラインダに固定されるボリュートケース部と、前記ボリュートケース部に収容され、前記先端工具と前記取付部の間において前記スピンドルに取り付けられる遠心ファンと、前記ボリュートケース部が前記ディスクグラインダから取り外されたときに前記遠心ファンを前記ボリュートケース部の内部で径方向に位置決めする第１の位置決め手段とを有し、前記遠心ファンを収容した状態のまま前記ボリュートケース部を前記ディスクグラインダに着脱可能であることを特徴とする。
【００１３】
前記第１の位置決め手段は、前記ボリュートケース部の軸方向を向く内面に設けられた円形凹部と、前記遠心ファンに設けられて前記円形凹部に配置される円板状の基板とにより構成される。
【００１４】
より具体的には、前記第１の位置決め手段は、前記ボリュート流路の内側であって前記ボリュートケース部の軸方向を向く内面に設けられた円形凹部と、前記遠心ファンに設けられて前記円形凹部に配置される円板状の基板とにより構成される。
【００１６】
本発明の一態様では、前記ボリュートケース部が前記ディスクグラインダから取り外されたときに前記遠心ファンを前記ボリュートケース部の内部で径方向に位置決めする第２の位置決め手段が設けられる。この第２の位置決め手段は、前記ボリュートケース部の軸方向を向く内面に軸方向に対して傾斜して設けられた環状の傾斜面と、前記遠心ファンの前記傾斜面に対向する端面に設けられて前記傾斜面と同一方向に傾斜する傾斜辺部とにより構成される。
【００１７】
本発明の他の態様では、前記第１の位置決め手段と前記第２の位置決め手段とは、前記遠心ファンの軸方向両側にそれぞれ設けられている。
【００１８】
本発明の他の態様では、前記取付部は、前記ディスクグラインダに取付可能とする固定手段を備え、前記固定手段は外部から手動により操作可能である。
【００１９】
本発明の他の態様では、前記取付部は、前記ボリュートケース部に設けられ、ボス部の外周面に係合する半円筒形の第１アダプタと、前記第１アダプタとは別体の半円筒形に形成され、前記ボス部を挟んで前記第１アダプタに組み合わされる第２アダプタと、前記第１アダプタと前記第２アダプタの一端側を連結する連結部材と、前記第１アダプタと前記第２アダプタの他端を連結するとともに互いの間隔を狭める方向に駆動可能なカム機構と、前記カム機構を操作するロックアームとを有し、前記第１アダプタと前記第２アダプタとが前記ボス部を挟持する固定状態となったときに、前記ロックアームは長手方向全体が前記ボリュートケース部の外面に沿って配置される。
【００２０】
本発明のディスクグラインダは、電動モータを収容するハウジングと、前記ハウジングから延出し、先端工具が装着されるスピンドルと、前記スピンドル周りに配置される被取付部と、前記被取付部に取り付けられて前記先端工具を覆う上記集塵カバーと、を備えたことを特徴とする。
【発明の効果】
【００２１】
本発明によれば、遠心ファンはボリュートケース部に収容され、ディスクグラインダから取り外された状態でも位置決め手段によりボリュートケース部の内部で径方向に位置決めされるので、集塵カバーをディスクグラインダに装着する際には、ボリュートケース部をボス部に固定することにより、遠心ファンを、その径方向位置を調整することなくスピンドルに装着することができる。また、集塵カバーをディスクグラインダから取り外す際には、ボリュートケース部をボス部から取り外すことにより、当該ケースとともに遠心ファンをスピンドルから取り外すことができる。このように、ボリュートケース部と遠心ファンとを１つのユニットとして集塵カバーをディスクグラインダに着脱することができるので、ディスクグラインダへの集塵カバーの着脱作業を容易にすることができる。
【００２２】
本発明によれば、ボリュートケース部と遠心ファンのいずれか一方に設けた凹部に、ボリュートケース部と遠心ファンのいずれか他方に凹部と同軸に設けた凸部を配置することにより、遠心ファンをボリュートケース部に径方向に位置決めさせるようにしたので、位置決め手段を簡単な構成とすることができる。
【００２３】
本発明によれば、ボリュートケース部の軸方向を向く内面に設けた円形凹部に遠心ファンに設けた円板状の基板を配置した構造により、遠心ファンをボリュートケース部の内部で径方向に位置決めするようにしたので、ボリュートケース部の遠心ファンから加えられる荷重を支持する部分の体積を大きくして、位置決め手段の強度や耐久性を高めることができる。
【００２５】
本発明によれば、ボリュートケース部の軸方向を向く内面に軸方向に対して傾斜して設けた環状の傾斜面に、遠心ファンの傾斜辺部を対向させた構造により、遠心ファンをボリュートケース部の内部で径方向に位置決めするようにしたので、遠心ファンの各羽根に、これらの通過断面積を一定にするために設けられる傾斜辺部を利用した簡単な構成で位置決め手段を構成することができる。
【００２６】
本発明によれば、ロックアームの操作によりボリュートケース部をボス部に固定し、また、固定を解除することができるので、ボリュートケース部を簡単な操作でボス部に着脱することができる。また、ボリュートケース部がボス部に固定されたときには、ロックアームの長手方向全体がボリュートケース部の外面に沿って配置されるようにしたので、操作性の向上のために長尺のロックアームを用いるようにしても、このロックアームを作業の邪魔にならないようにすることができる。
【図面の簡単な説明】
【００２７】
【図１】本発明の一実施の形態であるディスクグラインダの一部切り欠き断面図である。
【図２】図１に示す集塵カバーの構造を示す断面図である。
【図３】図２に示す集塵カバーの第１ケース半体の内部を示す平面図である。
【図４】図１に示す取付部の詳細を示す斜視図であり、（ａ）は固定前の状態を示す斜視図、（ｂ）は固定後の状態を示す斜視図である。
【図５】図２に示す集塵カバーの変形例であって、ボリュートケース部の内面に設けた環状凹部に遠心ファンに設けた円筒状凸部を配置した構造を示す断面図である。
【発明を実施するための形態】
【００２８】
以下、本発明の一実施の形態について、図面を用いて詳細に説明する。
【００２９】
図１に示す携帯型（手持ち式）のディスクグラインダ１１はディスクサンダーとも呼ばれるものであり、コンクリートや石材等の被削材の表面を平らに研削する平面研削作業に用いられる。
【００３０】
このディスクグラインダ１１は円筒形に形成された本体ケース１３を備えており、この本体ケース１３の内部には電動モータ１４が収容されている。電動モータ１４は本体ケース１３の後端部から引き出された電源コード１５を介して図示しない商用電源に接続され、この商用電源から供給される電力により作動する。
【００３１】
本体ケース１３の先端部分にはギヤケース１６が取り付けられ、本体ケース１３とギヤケース１６とでこのディスクグラインダ１１のハウジングが構成されている。
【００３２】
このギヤケース１６は本体ケース１３の軸方向に直交する円筒状のボス部１６ａを備えており、このボス部１６ａに回転自在に支持されてギヤケース１６にはスピンドル１７が設けられている。スピンドル１７はボス部１６ａと同軸に配置されており、その先端部分はボス部１６ａからギヤケース１６の外部に向けて突出している。ギヤケース１６の内部には一対のベベルギヤ１８ａ，１８ｂが収容されており、これらのベベルギヤ１８ａ，１８ｂにより電動モータ１４の回転が９０度方向を変えてスピンドル１７に伝達されるようになっている。
【００３３】
スピンドル１７の先端には、ディスク形（ホイール形）の先端工具としてのダイヤモンド砥石ホイール１９が取り付けられている。このダイヤモンド砥石ホイール１９は鋼板によりカップ形に形成された基板１９ａを備えており、この基板１９ａの表面にはそれぞれ平面状に並べられた複数のダイヤモンド砥石１９ｂが接着等の手段により固定されている。ダイヤモンド砥石ホイール１９は、その基板１９ａの軸心においてスピンドル１７の先端に装着され、このスピンドル１７に装着されたワッシャ２１とスピンドル１７の先端にねじ結合されたナット２２との間に挟み込まれて固定されている。また、ナット２２を取り外すことにより、ダイヤモンド砥石ホイール１９をスピンドル１７から取り外すことができる。
【００３４】
本体ケース１３に設けられた図示しない電源スイッチがオンされると、電動モータ１４に電力が供給され、スピンドル１７とともにダイヤモンド砥石ホイール１９が電動モータ１４に駆動されて回転する。回転したダイヤモンド砥石ホイール１９の表面全体を被削材の表面に均一に押し当てて前後左右に動かすことにより、被削材の表面を平らに研削する平面研削作業を行うことができる。
【００３５】
なお、本実施の形態においては、ディスク形の先端工具としてダイヤモンド砥石ホイール１９を用いるようにしているが、これに限らず、その表面全体を被削材の表面に押し当てることにより被削材の表面を平らに研削することができる工具であれば、例えばサンディングディスクなど、他の先端工具を用いるようにしてもよい。
【００３６】
このディスクグラインダ１１には、研削作業により発生する研削粉等の粉塵の飛散を防止するために、集塵カバー３１が着脱自在に装着されている。この集塵カバー３１は集塵アダプタとも呼ばれるものであり、遠心ファン３２により粉塵を強制的に集塵バック３３に集塵する自己集塵タイプとなっている。
【００３７】
集塵カバー３１はナイロン等の樹脂材料により形成されたボリュートケース部３４を備えている。このボリュートケース部３４は、集塵カバー３１がディスクグラインダ１１に装着されると、ディスクグラインダ１１とダイヤモンド砥石ホイール１９との間に配置される。
【００３８】
図２に示すように、ボリュートケース部３４は、カップ状に形成された第１ケース半体３４ａと第２ケース半体３４ｂとを、その開口端を突き合わせるように軸方向に組み合わせ、図示しないボルト等の締結手段により互いに締結することにより構成されている。つまり、ボリュートケース部３４は軸方向に分割可能となっている。
【００３９】
ボリュートケース部３４は、ダイヤモンド砥石ホイール１９よりも大径の略円筒状に形成された周壁３５と、スピンドル１７の軸方向に垂直な略円板状に形成された天壁３６、底壁３７とを備えている。ボリュートケース部３４の内部には、円柱状の空間としてファン収容室３８が設けられ、このファン収容室３８の外周側にはボリュート流路３９が設けられている。ボリュート流路３９は、周方向に向けて径方向寸法と軸方向寸法とが徐々に拡大し、つまり、その通過面積が徐々に拡大する形状に形成されている。ボリュート流路３９の下流端はボリュートケース部３４の周壁３５に設けられた排出口としての排出ダクト４１に連ねられている。排出ダクト４１は、周壁３５から接線方向に向けて突出する円筒状に形成されており、その先端に前述の集塵バック３３が取り付けられている。
【００４０】
ボリュートケース部３４の天壁３６には、ボリュートケース部３４をディスクグラインダ１１のスピンドル１７周りに配置される被取付部としてのボス部１６ａに固定するために、取付部４２が設けられている。この取付部４２がボス部１６ａに取り付けられることにより、集塵カバー３１はディスクグラインダ１１に装着される。
【００４１】
図４に示すように、取付部４２はボス部１６ａの外径寸法と同一の内径寸法を有する半円筒形の第１アダプタ４２ａと、ボス部１６ａの外径寸法と同一の内径寸法を有する半円筒形に形成されて第１アダプタ４２ａと組み合わされる第２アダプタ４２ｂとを備えている。第１アダプタ４２ａは天壁３６と一体に形成されており、第２アダプタ４２ｂは第１アダプタ４２ａとは別体に樹脂材料により形成されている。第１アダプタ４２ａはその内周面においてボス部１６ａの外周面に係合し、第２アダプタ４２ｂはその内周面において第１アダプタ４２ａとは反対側からボス部１６ａの外周面に係合する。第１アダプタ４２ａの一端は第２アダプタ４２ｂの一端に連結部材であるボルト４３ａとナット４３ｂとにより連結され、第１アダプタ４２ａの他端は第２アダプタ４２ｂの他端にボルト４４ａとナット４４ｂとにより連結されている。
【００４２】
第１アダプタ４２ａの他端を第２アダプタ４２ｂの他端に連結するボルト４４ａには固定手段としてのカム機構４５が設けられている。カム機構４５は、ボルト４４ａにピン結合されたカム４５ａを有し、このカム４５ａを回転操作するためのロックアーム４６がカム４５ａに固定されている。取付部４２をボス部１６ａに嵌め込んだ状態つまり各アダプタ４２ａ，４２ｂの間にボス部１６ａを配置した状態でロックアーム４６をロック方向に操作すると、カム４５ａにより第２アダプタ４２ｂが第１アダプタ４２ａの方向に押し付けられて、第１アダプタ４２ａと第２アダプタ４２ｂとが、互いの間隔を狭める方向に駆動される。これにより、第１アダプタ４２ａと第２アダプタ４２ｂとの間にボス部１６ａを挟持して、取付部４２はボス部１６ａに固定された固定状態とされる。反対に、ロックアーム４６を解除方向に操作すると、カム４５ａによる第１アダプタ４２ａと第２アダプタ４２ｂの押し付けが解除され、取付部４２はボス部１６ａに着脱可能な非固定状態とされる。
【００４３】
ロックアーム４６は鋼板等により長尺の棒状に形成されており、その先端部は直角に曲げられて係止部４６ａとされている。カム機構４５がボス部１６ａを挟持しない非固定状態のときには、図４（ａ）に示すように、ロックアーム４６は、その長手方向先端側の半分程度がボリュートケース部３４の天壁３６の外面から外側に突出している。これにより、ロックアーム４６の先端側を用いた操作が容易になる。
【００４４】
一方、ロックアーム４６がロック方向に操作され、カム機構４５がボス部１６ａを挟持する固定状態とされると、図４（ｂ）に示すように、ロックアーム４６は、その長手方向全体がボリュートケース部３４の天壁３６の外面に沿って配置され、その先端の係止部４６ａがボリュートケース部３４の周壁３５に係合した状態となる。これにより、作業時にロックアーム４６がボリュートケース部３４から突出することがなく、つまり、ロックアーム４６を作業の邪魔にならないようにすることができる。また、係止部４６ａがボリュートケース部３４の周壁３５に係合することにより、ロックアーム４６の過度の回転を防止して、カム機構４５を保護することができる。
【００４５】
このように、本発明では、ロックアーム４６を外部から手動で操作することにより、取付部４２を容易にボス部１６ａに着脱することができるので、この集塵カバー３１のディスクグラインダ１１への着脱作業を容易にすることができる。また、ボリュートケース部３４がボス部１６ａに固定されたときには、ロックアーム４６の長手方向全体がボリュートケース部３４の外面に沿って配置され、作業の邪魔にならないので、カム機構４５の操作性の向上のために長尺のロックアーム４６を用いることができる。
【００４６】
なお、ボス部１６ａの外周面と各アダプタ４２ａ，４２ｂの内周面は、それぞれ、その先端側（スピンドル１７が突出する側）の外径寸法が基端側の外径寸法よりも僅かに大きいテーパ状に形成されている。これにより、各アダプタ４２ａ，４２ｂがボス部１６ａから容易に抜けないようにして、ボリュートケース部３４を確実にボス部１６ａに固定することができる。
【００４７】
前述の遠心ファン（集塵ファン）３２は、ボリュートケース部３４の内部に設けられたファン収容室３８に収容されている。
【００４８】
遠心ファン３２は樹脂材料により形成されており、径方向両端側が回転方向前方側に向けて湾曲する複数枚の前向き羽根３２ａが円形の基板３２ｂの上に放射状に並べて配置されたシロッコファンとなっている。遠心ファン３２の軸心には二面取りされた装着孔３２ｃが設けられており、図１に示すように、この装着孔３２ｃにおいて遠心ファン３２はスピンドル１７に固定されるようになっている。
【００４９】
遠心ファン３２の各羽根３２ａは、その先端側の所定範囲における基板３２ｂとは反対側を向く端面が、先端側ほど基板３２ｂからの高さ寸法が低くなるように傾斜した形状に形成されており、この傾斜した端面部分は傾斜辺部３２ｄとなっている。各羽根３２ａに傾斜辺部３２ｄを設けることにより、隣り合う羽根３２ａの間の通過断面積が一定に近くなるように設定されている。これにより、回転時に遠心ファン３２の各羽根３２ａの間を通過する空気の圧力変動を小さくして、遠心ファン３２の騒音を低減させることができる。
【００５０】
ボリュートケース部３４の天壁３６の取付部４２の内側部分には、ファン収容室３８と同軸にスピンドル１７が挿通される円形の貫通孔４７が設けられている。また、ボリュートケース部３４のボス部１６ａとは反対側つまりダイヤモンド砥石ホイール１９の側を向く底壁３７にはファン収容室３８と同軸に円形の吸入口４８が設けられている。貫通孔４７と吸入口４８は、何れも、遠心ファン３２よりも小径に形成されており、ボリュートケース部３４に収容された遠心ファン３２が貫通孔４７や吸入口４８から外部に脱落しないようにされている。このように、遠心ファン３２はボリュートケース部３４の内部に着脱不能に収容されており、つまり、ボリュートケース部３４と遠心ファン３２は１つのユニットとして構成されている。
【００５１】
なお、遠心ファン３２は、第１ケース半体３４ａと第２ケース半体３４ｂとの間に配置され、これらのケース半体３４ａ，３４ｂを組み付けることでボリュートケース部３４の内部に着脱不能に収容される。
【００５２】
ボリュートケース部３４のダイヤモンド砥石ホイール１９の側を向く軸方向端面である底壁３７の底面部分にはカバー部５１が一体に設けられている。
【００５３】
このカバー部５１はダイヤモンド砥石ホイール１９よりも大径の円筒状に形成されており、ファン収容室３８と同軸に配置されている。ボリュートケース部３４がボス部１６ａに固定されると、ボリュートケース部３４を貫通したスピンドル１７の先端がカバー部５１の内部に突出し、スピンドル１７の先端に取り付けられるダイヤモンド砥石ホイール１９がカバー部５１の内側に配置される。つまり、カバー部５１は、スピンドル１７に取り付けられたダイヤモンド砥石ホイール１９の外周の全周を覆うようになっている。
【００５４】
ダイヤモンド砥石ホイール１９が被削材の表面に当接したときにカバー部５１の先端と被削材の表面との間に生じる隙間を閉塞するために、カバー部５１の先端部分にはスカート（シール部材）５２が設けられている。
【００５５】
このスカート５２はカバー部５１よりも小径の円筒状に形成されており、カバー部５１の内側にその先端を突出させた状態で配置されている。図示する場合では、スカート５２はフェルト製とされているが、ブラシやスポンジ等の他の部材で構成されてもよい。
【００５６】
スカート５２の上端には樹脂製の円環状の保持片５３が固定され、保持片５３と底壁３７との間にはスプリング等のばね部材５４が配置されている。スカート５２は、保持片５３とともにカバー部５１の内側で軸方向に移動自在であるとともに、ばね部材５４によりカバー部５１の開口の側に向けた軸方向に付勢されている。
【００５７】
研削作業時にダイヤモンド砥石ホイール１９の表面が被削材の表面に押し付けられると、スカート５２の先端部が被削材の表面に摺接する。これにより、カバー部５１の先端と被削材の表面との間の隙間がスカート５２により閉塞される。また、研削作業時に集塵カバー３１が被削材の表面に対して傾斜した状態となっても、この傾斜に合わせてばね部材５４が弾性変形することにより、スカート５２は被削材の表面に追従することができる。これにより、研削作業により生じる粉塵がカバー部５１の先端と被削材の表面との間からカバー部５１の外部に漏れ出すことを防止することができる。
【００５８】
ボリュートケース部３４の取付部４２がボス部１６ａに固定されて集塵カバー３１がディスクグラインダ１１に装着されると、ダイヤモンド砥石ホイール１９の外周の全体がカバー部５１により覆われるとともに、ダイヤモンド砥石ホイール１９の研削面とは反対側となる背面側はボリュートケース部３４により覆われる。また、集塵カバー３１がディスクグラインダ１１に装着されると、ボリュートケース部３４の貫通孔４７を貫通したスピンドル１７が遠心ファン３２の装着孔３２ｃに挿通され、遠心ファン３２はダイヤモンド砥石ホイール１９と取付部４２（ボス部１６ａ）との間においてスピンドル１７に固定される。
【００５９】
したがって、集塵カバー３１がディスクグラインダ１１に装着された状態で電動モータ１４が作動すると、遠心ファン３２がダイヤモンド砥石ホイール１９とともに回転し、ボリュートケース部３４の吸入口４８に吸引力を発生する。この吸引力により、研削作業でカバー部５１の内部に発生する研削粉等の粉塵が、吸入口４８からボリュートケース部３４の内部に吸引され、遠心ファン３２を介してボリュート流路３９を通って排出ダクト４１から排出されて集塵バック３３に集塵される。
【００６０】
次に、この集塵カバー３１に設けられる位置決め手段について説明する。
【００６１】
この集塵カバー３１では、遠心ファン３２をボリュートケース部３４に着脱不能に収容するようにしているので、この集塵カバー３１をディスクグラインダ１１に着脱する際には、ボリュートケース部３４と遠心ファン３２とを１つのユニットとして着脱することができる。
【００６２】
一方、ボリュートケース部３４は、ファン収容室３８の外周側にボリュート流路３９を備えた構造であるので、遠心ファン３２と周壁３５の内面との間の間隔は周方向の各位置で相違しており、遠心ファン３２を周壁３５の内面により、ボリュートケース部３４の内部でファン収容室３８と同軸となるように径方向に位置決めすることは困難である。
【００６３】
そこで、本発明では、ボリュートケース部３４の軸方向を向く内面つまり天壁３６の内面に円形凹部６１を設け、この円形凹部６１に遠心ファン３２の基板３２ｂを配置することにより、ボリュートケース部３４がディスクグラインダ１１（ボス部１６ａ）から取り外されたときに、遠心ファン３２をボリュートケース部３４の内部で径方向に位置決めするようにしている。つまり、この集塵カバー３１では、円形凹部６１と基板３２ｂとにより位置決め手段を構成するようにしている。
【００６４】
円形凹部６１は、天壁３６の内面に軸方向に向けて円形に凹んだ形状に形成されており、ファン収容室３８や貫通孔４７と同軸に配置されている。また、円形凹部６１の内径寸法は遠心ファン３２の基板３２ｂの外径寸法よりも僅かに大きくされており、その深さ寸法も、基板３２ｂの厚み寸法より僅かに大きくされている。遠心ファン３２は、基板３２ｂが円形凹部６１に配置されることにより、その基板３２ｂの外周部分が円形凹部６１の内周面に当接する範囲内で径方向に位置決めされる。つまり、遠心ファン３２は、基板３２ｂが円形凹部６１に配置されることにより、ボリュートケース部３４がボス部１６ａに固定されるときにスピンドル１７と同軸となる、ファン収容室３８の軸心に位置決めされることになる。
【００６５】
集塵カバー３１がディスクグラインダ１１に装着された状態では、遠心ファン３２は、その羽根３２ａが設けられる側の基板３２ｂの表面が円形凹部６１の開口端と軸方向位置が一致するように配置される。これにより、遠心ファン３２からボリュート流路３９へ風を滑らかに流すことができる。
【００６６】
この集塵カバー３１は、円形凹部６１と基板３２ｂとにより位置決め手段に加えて、ボリュートケース部３４の底壁３７の内面に設けられた傾斜面６２と、この傾斜面６２に対向する遠心ファン３２の羽根３２ａに設けられた傾斜辺部３２ｄとによっても位置決め手段を構成するようにしている。
【００６７】
傾斜面６２は、底壁３７の内面に一体に、吸入口４８とボリュート流路３９との間を連ねるように環状に形成されている。また、傾斜面６２は遠心ファン３２の羽根３２ａに設けられた傾斜辺部３２ｄと同一方向つまり径方向外側ほど天壁３６に接近する方向に傾斜しており、その径方向中央部分が上方に向けて凸形状となるように僅かに湾曲している。
【００６８】
遠心ファン３２が径方向に荷重を受けて、その各羽根３２ａの傾斜辺部３２ｄが傾斜面６２に当接すると、遠心ファン３２の径方向への移動が規制され、これにより、遠心ファン３２はボリュートケース部３４の内部で径方向に位置決めされる。また、遠心ファン３２の自重を受けた状態で各羽根３２ａの傾斜辺部３２ｄが傾斜面６２に当接すると、遠心ファン３２は傾斜面６２に沿ってファン収容室３８の軸心に向けて案内され、ボリュートケース部３４の内部でファン収容室３８の軸心に位置決めされる。
【００６９】
このような位置決め手段が設けられることにより、本発明の集塵カバー３１では、ボリュートケース部３４の内部に着脱不能に収容された遠心ファン３２を、集塵カバー３１がディスクグラインダ１１から取り外された状態でも、ボリュートケース部３４の内部で位置決めして、ファン収容室３８に位置させることができる。したがって、集塵カバー３１をディスクグラインダ１１に装着する際には、ボリュートケース部３４の取付部４２をボス部１６ａに装着すれば、遠心ファン３２を、その径方向位置を大きく調整することなく、スピンドル１７に装着することができる。つまり、ボリュートケース部３４と遠心ファン３２とを１つのユニットとしてディスクグラインダ１１に着脱することができる。
【００７０】
なお、集塵カバー３１がディスクグラインダ１１に取り付けられた後に、ナット２２によりスピンドル１７の先端にダイヤモンド砥石ホイール１９が取り付けられることになる。
【００７１】
一方、集塵カバー３１をディスクグラインダ１１から取り外す際には、ダイヤモンド砥石ホイール１９をスピンドル１７から取り外した後に、遠心ファン３２をボリュートケース部３４の内部に収容したままボリュートケース部３４と遠心ファン３２とを一体にディスクグラインダ１１から取り外すことができる。
【００７２】
このように、本発明では、遠心ファン３２をボリュートケース部３４に着脱不能に収容するとともに、集塵カバー３１がディスクグラインダ１１から取り外された状態でも、遠心ファン３２がボリュートケース部３４の内部で径方向に位置決めされるようにしたので、集塵カバー３１をディスクグラインダ１１に装着する際には、ボリュートケース部３４をボス部１６ａに固定することにより、遠心ファン３２を、その径方向位置を調整することなく、スピンドル１７に装着することができる。また、集塵カバー３１をディスクグラインダ１１から取り外す際には、ボリュートケース部３４をボス部１６ａから取り外すことにより、当該ケース部３４とともに遠心ファン３２をスピンドル１７から取り外すことができる。これにより、ディスクグラインダ１１への集塵カバー３１の着脱作業を容易にすることができる。
【００７３】
また、本発明では、ボリュートケース部３４の軸方向を向く内面に設けた円形凹部６１に遠心ファン３２に設けた円板状の基板３２ｂを配置した構造により、遠心ファン３２をボリュートケース部３４の内部で径方向に位置決めするようにしたので、簡単な構成で遠心ファン３２をボリュートケース部３４の内部で径方向に位置決めすることができ、また、ボリュートケース部３４の遠心ファン３２から加えられる荷重を支持する部分の体積を大きくして、その強度や耐久性を高めることができる。
【００７４】
さらに、本発明では、ボリュートケース部３４に設けた円形凹部６１に遠心ファン３２の基板３２ｂを配置する構造に加えて、ボリュートケース部３４の底壁３７に設けた傾斜面６２に、遠心ファン３２の傾斜辺部３２ｄを対向させた構造によっても遠心ファン３２をボリュートケース部３４の内部で径方向に位置決めするようにしたので、遠心ファン３２をボリュートケース部３４の内部で確実に径方向に位置決めすることができる。また、遠心ファン３２の各羽根３２ａに、これらの通過断面積を一定にするために設けられる傾斜辺部３２ｄを利用した簡単な構成で位置決め手段を構成することができるので、この集塵カバー３１のコストを低減することができる。
【００７５】
図５は図２に示す集塵カバーの変形例であって、ボリュートケース部の内面に設けた環状凹部に遠心ファンに設けた円筒状凸部を配置した構造を示す断面図である。
【００７６】
図２に示す場合では、位置決め手段は、ボリュートケース部３４に設けた円形凹部６１に遠心ファン３２の基板３２ｂを配置して構成されている。これに対して、図５に示す変形例では、ボリュートケース部３４の軸方向を向く内面である天壁３６の内面に環状凹部６３を設け、この環状凹部６３に遠心ファン３２の基板３２ｂに設けた円筒状凸部６４を配置するようにしている。つまり、この場合、位置決め手段は、ボリュートケース部３４に設けられた環状凹部６３と、遠心ファン３２に設けられた円筒状凸部６４とにより構成されている。
【００７７】
環状凹部６３は、断面矩形の環状の溝として形成されており、ファン収容室３８と同軸に配置されている。一方、円筒状凸部６４は、基板３２ｂの天壁３６に対向する裏面から軸方向に突出する円筒状に形成され、この遠心ファン３２の基板３２ｂと同軸に配置されている。環状凹部６３の溝幅は、円筒状凸部６４の厚みよりも僅かに大きく形成されており、遠心ファン３２は、円筒状凸部６４が環状凹部６３に配置されることにより、その円筒状凸部６４の側部が環状凹部６３の側壁に当接する範囲内で径方向に位置決めされる。
【００７８】
この変形例では、環状凹部６３と円筒状凸部６４が遠心ファン３２に対して軸方向の一方側に配置されるので、遠心ファン３２のボリュート流路３９との間には位置決め手段が配置されない構成である。したがって、遠心ファン３２の径方向外側に設けられるボリュート流路３９の断面積を大きくすることができる。
【００７９】
このように、図５に示す変形例では、ボリュートケース部３４の天壁３６の内面に設けた環状凹部６３に遠心ファン３２の基板３２ｂに設けた円筒状凸部６４を配置して、遠心ファン３２をボリュートケース部３４の内部で径方向に位置決めするようにしたので、位置決め手段を遠心ファン３２に対して軸方向側に配置して、遠心ファン３２の径方向外側に形成されるボリュート流路３９の断面積を大きくすることができる。
【００８０】
なお、図５においては、前述した部材に対応する部材には同一の符号を付してある。
【００８１】
本発明は前記実施の形態に限定されるものではなく、その要旨を逸脱しない範囲で種々変更可能であることは言うまでもない。例えば、前記実施の形態においては、本発明のディスクグラインダ１１として、電動モータを駆動源としたものを例示しているが、これに限らず、例えばエアモータなど、他の駆動源を備えたディスクグラインダに本発明を適用するようにしてもよい。
【００８２】
また、前記実施の形態においては、集塵カバー３１に、ボリュートケース部３４の天壁３６に設けた円形凹部６１に遠心ファン３２の基板３２ｂを配置した構造による位置決め手段に加えて、ボリュートケース部３４の底壁３７に設けた傾斜面６２に遠心ファン３２の傾斜辺部３２ｄを係合させる構造による位置決め手段を設けるようにしているが、これに限らず、いずれか一方の位置決め手段のみを設けるようにしてもよい。
【００８３】
さらに、前記実施の形態においては、位置決め手段として、ボリュートケース部３４の天壁３６に設けた円形凹部６１に遠心ファン３２の基板３２ｂを配置した構造、ボリュートケース部３４の天壁３６に設けた環状凹部６３に遠心ファン３２の基板３２ｂに設けた円筒状凸部６４を配置した構造、およびボリュートケース部３４の底壁３７に設けた傾斜面６２に遠心ファン３２の傾斜辺部３２ｄを係合させる構造を例示したが、これらに限らず、ボリュートケース部３４と遠心ファン３２のいずれか一方に設けた凹部に、ボリュートケース部３４と遠心ファン３２のいずれか他方に凹部と同軸に設けた凸部を配置することにより、遠心ファン３２をボリュートケース部３４の内部で径方向に位置決めするようにした構成であれば、凹部や凸部として別の形状を備えた位置決め手段を用いるようにしてもよい。
【００８４】
さらに、前記実施の形態においては、ボリュートケース部３４の天壁３６に環状凹部６３を設け、遠心ファン３２の基板３２ｂに円筒状凸部６４を設けるようにしているが、ボリュートケース部３４の天壁３６に円筒状凸部６４を設け、遠心ファン３２の基板３２ｂに環状凹部６３を設けるようにしてもよい。
【符号の説明】
【００８５】
１１  ディスクグラインダ
１３  本体ケース
１４  電動モータ
１５  電源コード
１６  ギヤケース
１６ａ  ボス部
１７  スピンドル
１８ａ，１８ｂ  ベベルギヤ
１９  ダイヤモンド砥石ホイール
１９ａ  基板
１９ｂ  ダイヤモンド砥石
２１  ワッシャ
２２  ナット
３１  集塵カバー
３２  遠心ファン
３２ａ  羽根
３２ｂ  基板
３２ｃ  装着孔
３２ｄ  傾斜辺部
３３  集塵バック
３４  ボリュートケース部
３４ａ  第１ケース半体
３４ｂ  第２ケース半体
３５  周壁
３６  天壁
３７  底壁
３８  ファン収容室
３９  ボリュート流路
４１  排出ダクト（排出口）
４２  取付部
４２ａ  第１アダプタ
４２ｂ  第２アダプタ
４３ａ  ボルト（連結部材）
４３ｂ  ナット（連結部材）
４４ａ  ボルト
４４ｂ  ナット
４５  カム機構（固定手段）
４５ａ  カム
４６  ロックアーム
４６ａ  係止部
４７  貫通孔
４８  吸入口
５１  カバー部
５２  スカート
５３  保持片
５４  ばね部材
６１  円形凹部
６２  傾斜面
６３  環状凹部
６４  円筒状凸部
【図１】
0005764990.tif 000002
【図２】
0005764990.tif 000003
【図３】
0005764990.tif 000004
【図４】
0005764990.tif 000005
【図５】
0005764990.tif 000006